(57)【要約】【課題】飲料容器の大きさや形状が異なっても飲料容器を適正な位置へ配置して冷気の循環通路を確保し、効率の良い冷気循環が行えるようにする。【解決手段】冷却貯蔵庫１５内へ冷気を供給循環させ、冷却貯蔵庫１５内の飲料容器１６Ａ，１６Ｂ等を冷却する冷却貯蔵庫１５において、冷却貯蔵庫１５の壁面との間に冷気循環用通路を形成すると共に飲料容器１６Ａ，１６Ｂのストッパを兼用する起立片２５Ａ〜２５Ｃを備え、且つ冷却貯蔵庫１５の底壁２３との間に冷気循環用通路２７を形成する脚部材２８，２８を備えた容器置台１４を冷却貯蔵庫１５内へ設置し、該容器置台１５へ載置した飲料容器１６Ａ，１６Ｂと冷却貯蔵庫壁面の間及び容器置台１４の前記冷気循環用通路２７を通じて冷気を循環させ、飲料容器１６Ａ，１６Ｂの周囲に冷気が満遍なく当たるようにする。【選択図】  図１
2004271017.tif 000002
【特許請求の範囲】
【請求項１】
冷却貯蔵庫内へ冷気を供給循環させ、冷却貯蔵庫内の飲料容器等を冷却する冷却貯蔵庫において、該冷却貯蔵庫の壁面との間に冷気循環用通路を形成すると共に飲料容器等のストッパを兼用する起立片を備え、且つ冷却貯蔵庫の底壁との間に冷気循環用通路を形成する脚部材を備えた容器置台を冷却貯蔵庫内へ設置し、該容器置台へ載置した飲料容器等と冷却貯蔵庫壁面の間及び容器置台の前記冷気循環用通路を通じて冷気を循環させたことを特徴とする冷却貯蔵庫。
【請求項２】
前記容器置台は、飲料容器等を載置することのできる載置板と、該載置板を支持する脚部材とから成り、該脚部材は載置板と冷却貯蔵庫内の背面壁との間に冷気の通る開口を形成すべく載置板の後端側から背面壁側へ突出して形成されており、また載置板は脚部材を冷却貯蔵庫内の背面壁へ当接して配設したときに冷却貯蔵庫の前面側に取付られた開閉扉の内面側との間に冷気の通る開口が形成されることを特徴とする請求項１に記載の冷却貯蔵庫。
【発明の詳細な説明】
【０００１】
【発明の属する技術分野】
本発明は、ビール樽を収納して冷却し、ディスペンサを通じて吐出供給するようにしたビール用サーバとしての飲料ディスペンサ等の冷却貯蔵庫に関するものである。
【０００２】
【従来の技術】
従来において、樽入りビールを収容した飲料容器（以下は、ビール樽という）を冷却貯蔵庫内へ収納して冷却し、必要なときにディスペンサを通じてジョッキ等へ吐出供給するビール用サーバとしての飲料ディスペンサは、図３に示すようなものがある。この従来技術は、特許文献１に開示されたものである。特許文献１では、ケーシング１の冷却貯蔵庫２内にビール樽３を収納し、冷却器４で冷却した冷気をファン５により、通風ダクト１０を通じて冷却貯蔵庫２内を循環させてビール樽３を冷却するようにしている。そして、ケーシング１の上部にバルブタワー６及び機械室７を設置し、バルブタワー６に設けた飲料注出バルブ８から必要に応じてジョッキ（図示せず）等へビールを注出するようにしている。符号９は、機械室７内に取り付けられた冷凍機ユニットである。
【０００３】
一方、図４に示す従来技術は、特許文献２に開示されたものである。この特許文献２では、ケーシング１内に機械室７を設けて冷凍機ユニット９を設置している。またビール樽３の大きさが多種類あることに対応できるように螺子嵌合方式の架台１１を用い、これの上面にビール樽３を載置することによってビール樽３の大きさに応じた高さに調節できるようにしている。
【０００４】
【特許文献１】
実用新案出願公開昭和５８年第１０７３９７号公報
【特許文献２】
特開２００２−５９９９６号公報
【０００５】
【発明が解決しようとする課題】
ところが、ビール樽３の大きさや形状は数種類のものがあり、ビール樽３を冷却貯蔵庫２内へ収納する本数や収納状態がビール樽３の大きさや形状によっていくつかの収容パターンに別れていた。この収容パターンによっては、ビール樽３どうしが密着したり、冷却貯蔵庫２の端にビール樽３が置かれて冷気が効率良く循環しないという欠点があった。そのため、通風ダクト１０やファン（送風機）５を適正な位置へ配設する必要があったが、やはり収容パターンによってはビール樽３によって冷気の循環が妨げられる場合があった。
【０００６】
本発明は従来の前記課題に鑑みてこれを改良除去したものであって、飲料容器の大きさや形状が異なっても飲料容器を適正な位置へ配置して冷気の循環通路を確保し、効率の良い冷気循環が行えるようにした冷却貯蔵庫を提供せんとするものである。
【０００７】
【課題を解決するための手段】
而して、前記課題を解決するために本発明が採用した請求項１の手段は、冷却貯蔵庫内へ冷気を供給循環させ、冷却貯蔵庫内の飲料容器等を冷却する冷却貯蔵庫において、該冷却貯蔵庫の壁面との間に冷気循環用通路を形成すると共に飲料容器等のストッパを兼用する起立片を備え、且つ冷却貯蔵庫の底壁との間に冷気循環用通路を形成する脚部材を備えた容器置台を冷却貯蔵庫内へ設置し、該容器置台へ載置した飲料容器等と冷却貯蔵庫壁面の間及び容器置台の前記冷気循環用通路を通じて冷気を循環させたことを特徴とする冷却貯蔵庫である。
【０００８】
この発明では、容器置台へ飲料容器を載置すると、飲料容器と冷却貯蔵庫壁面との間に起立片等によって冷気の循環する通路が形成される。また容器置台は、冷却貯蔵庫底壁との間に冷気循環用通路が形成されるようになっている。
そのため、容器置台へ飲料容器を載置した場合であっても、収納容器の周囲に冷気の循環する通路を確保することができ、収納容器を満遍なく冷却することができる。
【０００９】
また本発明が採用した請求項２の手段は、前記容器置台は、飲料容器等を載置することのできる載置板と、該載置板を支持する脚部材とから成り、該脚部材は載置板と冷却貯蔵庫内の背面壁との間に冷気の通る開口を形成すべく載置板の後端側から背面壁側へ突出して形成されており、また載置板は脚部材を冷却貯蔵庫内の背面壁へ当接して配設したときに冷却貯蔵庫の前面側に取付られた開閉扉の内面側との間に冷気の通る開口が形成されることを特徴とする請求項１に記載の冷却貯蔵庫である。
【００１０】
この発明によれば、載置板上へ飲料容器を載置するだけで、その起立片とストッパとにより、飲料容器の位置決めがなされる。また載置板の前後側には、冷気の通る開口が設けられている。従って、載置板に飲料容器を載置すると、飲料容器と冷却貯蔵庫壁面との間及び載置板と冷却貯蔵庫底壁との間に、冷気が循環する通路を形成することができる。その結果、飲料容器の周囲に満遍なく冷気が当たるように冷気を循環させることができ、効率の良い冷却が可能である。
【００１１】
【発明の実施の形態】
以下に、本発明の構成を図面に示す発明の実施の形態に基づいて説明すると次の通りである。図１及び図２は本発明の一実施の形態の飲料ディスペンサ１２に係るものであり、図１の図（Ａ）はケーシング１３の側面板を取り外した状態を示す側面図、図（Ｂ）はケーシング１３の天井板を取り外した状態を示す平面図である。図２は容器置台１４を示すものであり、図（Ａ）は同平面図、図（Ｂ）は同側面図、図（Ｃ）は同正面図である。
【００１２】
図１に示す如く、この実施の形態の飲料ディスペンサ１２は冷却貯蔵庫１５が対角線状に二つの飲料容器（ビール樽）１６Ａ，１６Ｂを載置できる大きさを有している。そして、背面壁１７と天井壁１８との隅角部には両壁面に跨がって冷気循環用のファン１９が設置されている。また背面壁１７の前記ファン１９に連なる部分には、冷却器２０が設置されている。一方、ケーシング１３の上部には、機械室２１とディスペンサの飲料注出ノズル２２とが設けられている。
【００１３】
冷却貯蔵庫１５内の底壁２３上に載置される容器置台１４は、図２に示す通りである。当該載置台１４は、対角線状にビール樽１６Ａ，１６Ｂを載置することのできる載置板２４と、該載置板２４の左右の周縁一部及び背面側の周縁の全部に立設した起立片２５Ａ，２５Ａ及び２５Ｂと、前記載置板２４の上面適所に立設した断面Ｌ字状のストッパ２６と、冷却貯蔵庫１５の底壁２３との間に冷気の循環用通路２７を形成すべく底壁２３から所定寸法の高さを有し、前記載置板２４を支持する左右の脚部材２８，２８とで構成されている。前記起立片２５Ａ，２５Ｂ及び２５Ｃは、一枚の載置板２４を切り起こして形成すればよく、またストッパー２６は溶接等によって載置板２４上に取り付ければよい。
【００１４】
左右の脚部材２８，２８は、載置板２４と冷却貯蔵庫内の背面壁１７との間に冷気の通る開口２９を形成すべく載置板２４の後端側から背面壁１７側へ突出して形成されている。また載置板２４は、脚部材２８，２８を冷却貯蔵庫１５内の背面壁１７へ当接して配設したときに冷却貯蔵庫１５の前面側に取付られた開閉扉３０の内面側との間に冷気の通る開口３１が形成される大きさに設定されている。更に、載置板２４には、ビール樽１６Ａ，１６Ｂを対角線状に二個載置したとき、背面側のビール樽１６Ａと前面側のビール樽１６Ｂとの間に形成される領域（ビール樽１６が載置されない領域）に、上下を貫通する多数のスリット３２が形成されている。
【００１５】
次に、このように構成された飲料ディスペンサ１２の使用態様について説明する。先ず、図１の図（Ａ）及び図（Ｂ）に示すように、容器置台１４の載置板２４から突出する左右両端の脚部材２８及び２８の後端面側を冷却貯蔵庫背面壁１７へ当接させて配設する。次に、ビール樽１６Ａ，１６Ｂを二つ準備し、そのうちの一つを載置板２４の左側奥部へ押し込む。これにより、ビール樽１６Ａは、その背面側が起立片２５Ｃに当接し、左側の側面が起立片２５Ａへ当接して位置決めがなされる。そして、もう一つのビール樽１６Ｂを載置板２４の右側へ押し込む。この右側のビール樽１６Ｂは、その背面側がストッパ２６に当接し、右側の側面が起立片２５Ｂに当接して位置決めがなされる。これにより、二つのビール樽１６Ａ，１６Ｂを冷却貯蔵庫１５内の対角線状に収納配置することが可能である。
【００１６】
この位置決めされた状態にあって、左奥部側のビール樽１６Ａはその全周囲が冷却貯蔵庫１５の内壁面から離れており、冷気が接触できるようになっている。また右側手前のビール樽１６Ｂの場合も冷却貯蔵庫１５の内壁面から離れており、冷気が接触できるようになっている。一方、ビール樽１６Ａ，１６Ｂどうしと冷却貯蔵庫左内側面との間の領域における載置板２４の多数のスリット孔３２には、二つのビール樽１６Ａ，１６Ｂが載置されないように、即ち、スリット孔３２を閉塞しないようにこれらの部材の寸法関係及び位置決めがなされている。
【００１７】
冷却貯蔵庫１５内に二つのビール樽１６Ａ，１６Ｂを収納した状態で、冷却装置を駆動させると、冷却器２０を通って冷却された冷気が冷気循環用ファン１９によって図１の図（Ａ）の矢符に示す如く、冷却貯蔵庫１５内の室内全体に冷気が行き渡るように吐出される。二つのビール樽１６Ａ，１６Ｂの頭部側には直接冷気が吹き付けられて冷却を行う。また冷却貯蔵庫１５の扉３０側に吐出された冷気は、開閉扉３０の内側面に沿って下方向きに流れ、右側手前のビール樽１６Ｂの前面側周面を冷却しながら、開口３１から載置台１４の下方空間（冷気の循環用通路２７）へ引き込まれる。そして、同図に示す如く、背面壁に沿って上昇し、冷却器２０を通るときに再び冷却される。またこの上昇中には左奥部のビール樽１６の背面側周面を冷却する。冷却器２０を通った冷気は、冷気循環用のファン１９から冷却貯蔵庫室内１５へ向けて吐出される。
【００１８】
一方、二つのビール樽１６Ａ，１６Ｂと冷却貯蔵庫左側内周面とで囲まれた領域にあっては、載置板２４に設けられたスリット３２から冷気が吸引され、載置台１４下方の冷気循環用通路２７へ引き込まれる。このとき、左側奥部のビール樽１６Ａの前面側周面及び右側手前のビール樽１６Ｂの左側周面が冷却される。冷気循環用通路２７へ引き込まれた冷気は、上述の場合と同様に、開口２９から背面壁に沿って上昇し、冷却器２０を通って循環するようになる。
また二つのビール樽１６Ａ，１６Ｂと冷却貯蔵庫右側内周面とで囲まれた領域へ吐出された冷気は、スリット３２及び開口３１を通じて載置台１４下方の冷気循環用通路２７へ引き込まれる。このとき、左側奥部のビール樽１６Ａの右側周面及び右側手前のビール樽１６Ｂの背面側及び左右側周面を冷却する。
【００１９】
このように載置台１４の前面側と開閉扉３０との間に設けた開口３１と、スリット３２とを通じて冷気を載置台下方の循環用通路２７へ引き込み、載置台後端側と背面壁１７との間に設けた開口２９を通じて上昇させ、冷却器２０を通るように循環させることにより、二つのビール樽１６Ａ，１６Ｂの全周面を満遍なく冷却することが可能である。その結果、冷却効果に優れ、泡の発生が少なく、おいしいビール等の飲料水の注出が可能である。
【００２０】
ところで、本発明は上述した実施の形態に限定されるものではなく、例えば、ビール樽１６Ａ，１６Ｂの大きさや形状、飲料の種類及びこれに対応する飲料容器の大きさや形状並びにこれに対応する冷却貯蔵庫１５の大きさや形状等は適宜の変更が可能である。
【００２１】
【発明の効果】
以上説明したように本発明にあっては、冷却貯蔵庫内へ冷却貯蔵庫の底壁との間に冷気循環用通路を確保した容器置台を設置し、該容器置台へ載置した飲料容器と冷却貯蔵庫壁面の間及び容器置台の前記冷気循環用通路を通じて冷気を循環させ、飲料容器等の周囲に冷気が満遍なく当たるようにしている。すなわち、本発明にあっては、容器置台へ飲料容器等を載置すると、飲料容器等と冷却貯蔵庫壁面との間に冷気の循環する通路が形成される。また容器置台は、冷却貯蔵庫底壁との間に冷気循環用通路が形成されるようになっている。そのため、容器置台へ飲料容器等を載置した場合であっても、飲料容器等の周囲に冷気の循環する通路を確保することができ、飲料容器等を満遍なく冷却することができる。
【００２２】
また本発明の容器置台にあっては、飲料容器等を載置することのできる載置板と、該載置板を支持する脚部材とから成り、該脚部材は載置板と冷却貯蔵庫内の背面壁との間に冷気の通る開口を形成すべく載置板の後端側から背面壁側へ突出して形成されており、また載置板は脚部材を冷却貯蔵庫内の背面壁へ当接して配設したときに冷却貯蔵庫の前面側に取付られた開閉扉の内面側との間に冷気の通る開口が形成されるようになっている。
【００２３】
この発明によれば、載置板上へ飲料容器等を載置するだけで、その起立片とストッパとにより、飲料容器等の位置決めがなされる。また載置板の前後側には、冷気の通る開口が設けられている。従って、載置板に飲料容器を載置すると、飲料容器等と冷却貯蔵庫壁面との間及び載置板と冷却貯蔵庫底壁との間に、冷気が循環する通路を形成することができる。
その結果、飲料容器等の周囲に満遍なく冷気が当たるように冷気を循環させることができ、効率の良い冷却が可能である。
【図面の簡単な説明】
【図１】本発明の一実施の形態に係る飲料ディスペンサを示すものであり、図（Ａ）はケーシングの側面板を取り外した状態を示す側面図、図（Ｂ）はケーシングの天井板を取り外した状態を示す平面図である。
【図２】本発明の一実施の形態に係る容器置台を示すものであり、図（Ａ）は同平面図、図（Ｂ）は同側面図、図（Ｃ）は同正面図である。
【図３】特許文献１に記載された従来の飲料ディスペンサを示す部分縦断面図である。
【図４】特許文献２に記載された従来の飲料ディスペンサを示す縦断面図である。
【符号の説明】
１２…飲料ディスペンサ、１３…ケーシング、１４…容器置台、１５…冷却貯蔵庫、１６Ａ，１６Ｂ…ビール樽（飲料容器）、１７…背面壁、１８…天井壁、１９…冷気循環用ファン、２０…冷却器、２３…底面壁、２４…載置板、２５Ａ〜２５Ｃ…起立片、２６…ストッパ、２７…冷気循環用通路、２８…脚部材、２９…開口、３０…開閉扉、３１…開口、３２…スリット
【図１】
2004271017.tif 000003
【図２】
2004271017.tif 000004
【図３】
2004271017.tif 000005
【図４】
2004271017.tif 000006